(57)【特許請求の範囲】
【請求項１】
底と、前記底に隣接する第１の側壁と、本体開口部と、流体密封閉鎖部用の第１の接続要素とを有する、流体を受けるための本体と、
前記第１の接続要素と流体密封状に接続されるかまたは接続可能であり、かつ、前記本体への流体通路が設けられ得る領域を有する、前記本体開口部用の流体密封閉鎖部と、
吸い口と、流体ラインと、前記領域における本体への流体通路生成部とを含む、吸い口モジュールと、
第１の動作モードでは、前記流体ラインおよび前記流体通路生成部が前記領域から離れて保持され得るようにし、かつ、前記流体通路が前記流体通路生成部に存在する第２の動作モードへの移行を可能にし、そのため、前記流体ラインを介して、前記本体と前記吸い口との間で接続が達成可能となるようにする、誘導部とを含み、
前記誘導部は、ジョイントと、ジョイントから前記吸い口および／または前記流体ライ
ンへの第１の接続片と、前記ジョイントから前記流体密封閉鎖部への第２の接続片とを含む、容器。
【請求項２】
前記第１の接続要素は、前記流体密封閉鎖部の流体密封接着または結合のための、前記本体開口部の区域の周方向エッジである、請求項１に記載の容器。
【請求項３】
前記流体密封閉鎖部は、少なくとも一部が単層または多層の金属および／またはプラスチックのフィルムである、請求項１に記載の容器。
【請求項４】
前記領域は、前記流体通路生成部によって力が加わると貫通され得る単層または多層のプラスチックおよび／または金属のフィルムである、請求項１に記載の容器。
【請求項５】
前記領域は、周方向の穿孔線または切離し線を有する、請求項４に記載の容器。
【請求項６】
前記吸い口、前記流体ライン、および前記流体通路生成部は、一体型の単一片の部品を形成する、請求項１に記載の容器。
【請求項７】
前記流体通路生成部は、吸い口とは反対側に面する流体ラインの開口エッジである、請求項１に記載の容器。
【請求項８】
前記流体密封閉鎖部および前記吸い口モジュールを少なくとも部分的に覆う蓋モジュールをさらに含む、請求項１に記載の容器。
【請求項９】
前記本体は、前記本体開口部の区域に、第２の周方向の接続要素を有する、請求項８に記載の容器。
【請求項１０】
前記蓋モジュールは、前記第２の周方向の接続要素によって前記本体に接続されるかまたは接続可能である、請求項９に記載の容器。
【請求項１１】
前記蓋モジュールは蓋フラップを有しており、それは、開いた状態では、少なくとも前記吸い口を解放する、請求項８に記載の容器。
【請求項１２】
前記蓋フラップは、前記蓋モジュールの一体部であり、ジョイントを介して前記蓋モジュールに接続されるかまたは接続可能である、請求項１１に記載の容器。
【請求項１３】
前記蓋フラップは、少なくとも一部が穿孔線および／または切離し線で包囲されている、請求項１１に記載の容器。
【請求項１４】
前記蓋フラップは、開いた状態または閉じた状態で可逆的に停止可能である、請求項１１に記載の容器。
【請求項１５】
前記吸い口モジュールは、前記吸い口および前記流体ライン用のフレームをさらに含む、請求項１２に記載の容器。
【請求項１６】
前記フレームは、前記第２の動作モードにおける前記吸い口用の停止部を含む、請求項１５に記載の容器。
【請求項１７】
前記ジョイントとは反対側に面する前記フレーム側に接続されるかまたは接続可能である第２の接続要素をさらに含む、請求項１５に記載の容器。
【請求項１８】
前記吸い口モジュールは、前記第２の接続要素および／または前記ジョイントを介して、前記流体密封閉鎖部に接続されるかまたは接続可能である、請求項１７に記載の容器。
【請求項１９】
前記蓋モジュールおよび／または前記本体は、少なくとも一部がガラス、プラスチック、セラミック、および／または金属を含む、請求項８に記載の容器。
【請求項２０】
前記蓋モジュールは第３の接続要素を有し、それは前記第２の接続要素と相補的であり、前記第２および第３の接続要素間の相互作用によって、前記本体と前記蓋モジュールとは接続可能である、請求項１７に記載の容器。
【請求項２１】
フィルムをさらに含み、それは、少なくとも一部が側壁上に位置し、少なくとも一部が前記蓋モジュール上に位置する、請求項１に記載の容器。
【請求項２２】
流体を充填し、保存し、運搬し、または消費するための、請求項１に記載の容器の使用。
【請求項２３】
前記第１の接続要素は、前記流体密封閉鎖部の流体密封取付のための、前記本体開口部の区域の周方向エッジである、請求項１に記載の容器。
【請求項２４】
前記流体密封閉鎖部は、プラスチックの蓋を含む、請求項１に記載の容器。
【請求項２５】
前記ジョイントは、インテグラルヒンジである、請求項１に記載の容器。
【請求項２６】
前記フィルムは収縮性フィルムであり、それは、収縮された状態で、少なくとも一部が側壁上に位置し、少なくとも一部が前記蓋モジュール上に位置する、請求項２１に記載の容器。
【発明の詳細な説明】
【技術分野】
【０００１】
この発明は、容器、特に飲料容器と、流体、特に飲料を充填し、保存し、運搬し、消費するための前記容器の使用とに関する。
【背景技術】
【０００２】
飲料用の容器または入れ物は現在、前記飲料の間接的供給のためにますます使用されているのみならず、はるかにより頻繁に、これらの容器は飲料容器として直接機能している。すなわち、飲料は、グラスやコップの助けを借りることなく、前記容器から直接飲まれる。この種の飲料容器は、例えば車での移動中にしばしば使用され、対応する入れ物に保存可能である。特に、そのような入れ物の一要件は、それらが便利にかつ片手のみで使用できるということである。これは、初めに開ける手順にだけでなく、確実にきっちりと再閉鎖することにも当てはまる。多くの飲料、特にソフトドリンクは、十分な生産純度を備えるために低温殺菌または殺菌もしなければならない。これは、そのような飲料容器で定期的に起こる。提供される飲料に細菌が存在しないことを保証するために、無菌状態での充填も要求される。食料品に関するこれらの法的要件はしばしば、使用材料および生産プロセスに関して大きな難題を提示する。
【発明の概要】
【発明が解決しようとする課題】
【０００３】
その結果、この発明の目的は、飲料容器についての先行技術から公知の欠点を克服すること、そして特に、供給および／または充填中の飲料などの流体の汚染を防ぐことを可能にする容器を提供することであった。特に、この発明の目的は、例えば低温殺菌段階に依存せずに、高純度の、例えば汚染のない、飲料などの流体を提供することであった。さらに、この発明の目的は、使用の安全性および快適性を損なう必要なく、簡単にかつコスト効率よく生産できるような容器を提供することであった。
【課題を解決するための手段】
【０００４】
したがって、この発明の基盤を形成する目的は、特に飲料用の容器であって、底と、底に隣接する第１の側壁と、本体開口部と、第１の流体密封閉鎖部用の第１の接続要素とを有する、流体を受けるための本体と；第１の接続要素と流体密封状に接続されるかまたは接続可能であり、かつ、流体流が本体へと放出され得る１つの第１の領域を少なくとも有する、本体開口部用の第１の流体密封閉鎖部と；吸い口と、流体ラインと、第１の領域の区域における本体への流体流生成部とを含む、少なくとも１つの吸い口モジュールと；第１の動作モードでは、流体ラインおよび流体流生成部が第１の領域から離れて保持され得るようにし、かつ、流体流が流体流生成部の形で存在する第２の動作モードへの移行を可能にし、そのため、流体ラインを介して、本体と吸い口との間で接続が達成可能となり、または与えられるようにする、誘導部とを含む、容器によって得られた。
【０００５】
この発明に従った容器の有利な一実施例では、第１の接続要素は、第１の流体密封閉鎖部の特に流体密封接着または結合にとって特に好適な、本体開口部の区域の周方向エッジであるか、もしくは、第１の流体密封閉鎖部の特に流体密封取付のためのクランプエッジであるということが提供可能である。
【０００６】
ここで、第１の流体密封閉鎖部は、少なくとも一部が単層または多層の金属および／またはプラスチックのフィルムであり、および／または、プラスチックの蓋を含むということがさらに提供可能である。
【０００７】
ここで、第１の領域は、力が加わると切離され得る、特に打抜かれ得る、特に流体流生成部の形をした単層または多層のプラスチックおよび／または金属のフィルムであってもよい。
【０００８】
好ましくは、第１の領域は、少なくとも１つの、特に周方向の穿孔線または切離し線を有する。
【０００９】
有利には、流体流生成部は、第１の領域の上方の区域に、または総称的用法ではそれに隣接して取付けられており、そのため、前記生成部が第１の領域の方向に作動されるかまたは動かされると、前記領域は破壊されるかまたは解放されて、本体への流体流を形成する。流体流生成部は好ましくは、吸い口とは反対側に面する流体ラインのエッジであり、また、打抜きエッジとしても記載されてもよい。有利には、吸い口、流体ライン、および流体流生成部はここで、一体型の、特に単一片の部品を形成する。
【００１０】
この発明に従った容器はさらに、誘導部が、ジョイント、特にインテグラルヒンジと、ジョイントから吸い口および／または流体ラインへの第１の接続片とを含むように設計され得る。
【００１１】
ここで、誘導部は、ジョイントから第１の流体密封閉鎖部への少なくとも１つの第２の接続片をさらに含むということが提供可能である。
【００１２】
この発明に従った容器はさらに、第１の流体密封閉鎖部および吸い口モジュールを少なくとも部分的に、特に全体的に覆う蓋モジュールをさらに含んでいてもよい。ここで、吸い口モジュールは、好ましくは蓋モジュールに固定可能であり、特に内側に、および／または流体密封閉鎖部上に固定される。
【００１３】
加えて、この発明に従った容器の本体は、特に本体開口部の区域に、少なくとも１つの第２の接続要素を有するということが提供可能である。好適な方法で、蓋モジュールは、第２の接続要素によって、特に可逆的に本体に接続されるかまたは接続可能である。
【００１４】
有利には、蓋モジュールは少なくとも１つの蓋フラップを有しており、それは、開いた状態では、少なくとも吸い口を解放する。蓋フラップは有利には、蓋モジュールの一体部であり、ジョイント、好ましくはインテグラルヒンジを介して前記モジュールに接続されるかまたは接続可能である。一実施例では、蓋フラップは、少なくとも一部が穿孔線および／または切離し線で包囲されていてもよい。蓋フラップが初めて作動されると、これらの穿孔線または切離し線は切離され、蓋フラップが吸い口を解放しながら開かれることを可能にする。さらに、蓋フラップは、開いたまたは閉じた状態で、特に可逆的に停止可能であるということが提供可能である。また、蓋フラップが、好ましくは第２の接続要素と相互作用する蓋モジュールの周囲の蓋エッジに穿孔線または切離し線を有する場合、特に有利であるということが示されている。この／これらの線を切離すと、蓋モジュールのエッジはその場合好ましくは、第２の接続要素と絶えず相互作用したままとなる。蓋フラップは好ましくは、開放および／または閉鎖位置で停止可能であるよう設計される。このように、蓋フラップは、ユーザが飲んでいる間邪魔にならない位置で、開放位置で固定され得る。ここで、特に有利な一実施例では、蓋フラップは、ヒンジ、好ましくは蓋モジュールの一部としてのインテグラルヒンジによって可動に支持される。
【００１５】
初めの作動の後、蓋フラップが、閉じた状態である場合を含め、再度停止可能である場合、有利である。この目的のために、例えば蓋フラップのエッジまたはエッジ区域が使用でき、それは例えば第２の接続要素と相互作用し、例えばそれの背後で把持する。
【００１６】
また、この発明に従った容器またはその吸い口モジュールには、吸い口用の、および適切であれば流体ライン用のフレーム、例えば供給フレームが設けられるということが提供可能である。特に吸い口が流体ラインの一体部である場合、フレームまたは供給フレーム内で第１の動作モードから第２の動作モードへの移行を行なうことが実用的であるということが示されている。ここで、供給フレームは、第２の動作モードにおける吸い口用の停止部を含むということが提供可能である。
【００１７】
この発明に従った容器はさらに、第２の接続片および／またはジョイントが、ジョイントとは反対側に面する、特に対向している供給フレーム側に特に接続されるかまたは接続可能であるという事実によって特徴づけられ得る。
【００１８】
ここで、吸い口モジュールは、特に第２の接続片および／またはジョイントを介して第１の流体密封閉鎖部に、および／または、特に供給フレームを介して蓋に接続されるかまたは接続可能であるということが提供可能である。
【００１９】
また、蓋モジュールおよび／または本体は、少なくとも一部がガラス、プラスチック、セラミックおよび／または金属を含み、もしくはこれらから形成されるということも可能である。
【００２０】
蓋モジュールは少なくとも１つの第３の接続要素を有し、それは第２の接続要素と相補的であり、第２および第３の接続要素間の相互作用によって、本体と蓋モジュールとは特に可逆的に接続可能であるということも提供可能である。
【００２１】
この発明に従った容器は、有利な一実施例では、少なくとも１つのフィルム、特に収縮性フィルムをさらに含んでいてもよく、それは、特に収縮された状態で、少なくとも一部が側壁上に位置し、および適切であれば少なくとも一部が蓋モジュール上に位置する。少なくとも一部が側壁を、および適切であれば蓋モジュールも包囲し、かつ前記壁上に位置してそれにより適切であれば本体と蓋モジュールとをともにしっかりと保持する好適なフィルムは、通常公知のプラスチック材料、例えばポリエチレンおよびポリプロピレンフィルムなどのポリオレフィンフィルム、もしくはポリスチロールフィルムまたはスチロールコポリマー製のフィルムから作られ得る。一実施例では、使用されるフィルムはゴム弾性特性プロファイルを有しており、その結果、フィルムを側壁に、および適切であれば蓋モジュールに、全周にわたってその上に位置するように取付けることが特に容易である。フィルムは好ましくは、容器の全周に延在しており、そうする際、側壁を少なくとも一部覆う。ここで、フィルムは好ましくは、ピンと張った状態である。収縮性フィルムは好ましくは、本体の少なくとも一部および蓋モジュールの少なくとも一部の上へと収縮され、それらが収縮性フィルムを破壊することなく互いに対して動いたりまたは互いから取外されたりできないようになっている。好適な収縮性フィルム、ならびにそれらの生産および適用のための方法は、当業者には公知である。例えば、収縮性フィルムは、ポリエチレンまたはポリプロピレンなどのポリオレフィンから、もしくはＰＶＣから生産可能である。有利には、一実施例では、フィルム、特に容器の上へと収縮された状態の収縮性フィルムは、最大でそれがちょうど蓋フラップに達するまで、蓋モジュールの方向に延在する。
【００２２】
この発明に従った容器は通常、例えば飲料用容器である。これらは、ソフトドリンク用容器であってもよい。この発明に従った容器を、コーヒー、ココアまたはお茶のドリンクを保持し、運搬し、飲むために使用することも可能である。
【発明の効果】
【００２３】
この発明は、製造または充填および閉鎖中、流体の、特に飲料の汚染を防止することを助ける容器、特に飲料容器が、比較的簡単な方法で得られ得るという驚くべき事実を明らかにしている。この発明に従った容器はまた、軽量で使用が信頼でき、すなわち片手で使用可能であり、また、大量生産において著しい量の不良品を作り出すことなく簡単な方法で低コストで生産可能である。
【００２４】
この発明に従った容器には、流体、例えばコーヒーまたはココアなどの飲料を、殺菌状態で問題なく充填することができる。飲料の長時間低温殺菌は必要ない。この目的のために、殺菌された本体には、無菌状態で流体、特に飲料が吐出口を介して充填される。この吐出口は次に閉鎖または密封され、このように充填された本体には、無菌充填区域でまたはこの区域を離れた後で、蓋モジュールが設けられ、または接続され得る。
【００２５】
この発明のさらなる特徴および利点を、以下の説明で述べる。そこでは、概略図を参照して、この発明の好ましい実施例が例として説明される。
【図面の簡単な説明】
【００２６】
【図１】この発明に従った容器を側面図である。
【図２】図１に従ったこの発明に従った容器を９０°回転させた側面図である。
【図３】この発明に従った容器の斜視図である。
【図４】この発明に従った容器の側面図である。
【図５】図４に従った容器の一部の拡大部分の図である。
【図６】蓋フラップが開いている、この発明に従った容器の斜視図である。
【図７】図６に示すこの発明に従った容器の側面輪郭図である。
【図８】図７に示す容器の一部の拡大図である。
【図９】この発明に従った容器の一部の拡大図の輪郭図である。
【図１０】蓋フラップが開いている、この発明に従った容器の斜視図である。
【図１１】蓋フラップが閉じられている、図１０に示すこの発明に従った容器の図である。
【図１２】図１１に示す容器の一部の拡大図である。
【図１３】この発明に従った容器の吸い口モジュールの斜視図である。
【図１４】図１３に示す吸い口モジュールの上面図である。
【図１５】吸い口モジュールの斜視図である。
【図１６】図１５に従った吸い口モジュールの上面図である。
【図１７】吸い口モジュールの斜視図である。
【図１８】図１７に従った吸い口モジュールの上面図である。
【図１９】この発明に従った容器の蓋モジュールの斜視図である。
【図２０】この発明に従った容器の本体の斜視図である。
【発明を実施するための形態】
【００２７】
図１は、本体２と蓋モジュール４とを有するこの発明に従った容器１を、側面図で示す。蓋モジュール４には蓋フラップ６が設けられており、それは、図示された実施例では、より容易な取扱いのための動作突起８を、外縁上に含んでいる。これは図２に特に明らかに見える。本体２は、底１０と側壁１２とを有する。蓋モジュール４にはまた、第３の接続要素の形をした周方向エッジ１４も設けられている。その機能を、以下により詳細に説明する。図３に示すように、蓋フラップ６は、切離し線１６、１８、２０によって蓋モジュール４に組込まれている。図示された実施例では、蓋フラップ６はまた、インテグラルヒンジ２２を介して蓋モジュール４に接続されている。
【００２８】
図４および図５に示すように、蓋フラップ６は、吸い口モジュール２４を、特に吸い口２６を覆っている。図４および図５（図６および図８も同様）は、第１の動作モードにおける流体ライン３４と流体流生成部３６とを示している。すなわち、生成部３６は第１の流体密封閉鎖部３０の上方に位置しており、これは領域３８において依然としてそのままである。特に図５では、蓋モジュール４のエッジ区域においても、切離し線または穿孔線１８が見える。図５はさらに、本体開口部２８と、本体開口部２８を覆ってピンと張られたフィルムの形をした第１の流体密封閉鎖部３０とを示している。フィルムの形をした閉鎖部３０は、本体２の周方向エッジ３２上に位置しており、それは、図示された実施例では、この発明に従った容器の第１の接続要素である。図示された実施例では、フィルム３０はその周囲が周方向支持面３２に流体密封状に糊付けられ、または溶接されている。吸い口モジュール２４は、吸い口２６に沿って、流体ライン３４と、本体２への流体流生成部３６とを含む。図５に示された実施例では、この生成部３６は打抜きエッジであり、流体ライン３４の一体部である。生成部３６は、第１の流体密封閉鎖部３０の第１の領域３８から離れて、またはその上方に位置する。この流体密封閉鎖要素は、吸い口または流体ラインを下に押すだけで、打抜きエッジによってフィルムを切離し、本体へと流体流を放出できるように設計された第１の領域の区域にある。また、この発明に従った容器の図示された実施例では、吸い口モジュール２４は誘導部４０を有する。この誘導部４０は、図示された実施例では、ジョイント４４を吸い口２６または流体ライン３４に接続する第１の接続片４２と、ジョイント４４を第１の流体密封閉鎖部３０に接続する、または、図５に示す代替例ではフィルムに接続されることなく前記閉鎖部の上に位置する第２の接続片４６とを含む。図５は、この発明に従った容器の第１の動作モードを示しており、すなわち、打抜きエッジ３６はフィルム３０の上方に位置し、領域３４は依然としてそのままである。
【００２９】
さらに、吸い口モジュール２４は、図示された実施例では、供給フレームとしても知られるフレーム４８を有しており、そこで誘導部４０は、吸い口２６、流体ライン３４、および打抜きエッジ３６とともに、第１の動作モードから第２の動作モードへと移行可能である。図５はまた、蓋モジュール４の周方向エッジ１４も示しており、それは第３の接続要素５０の形をしたクランプとして、周方向ブリッジの形をした本体２の第２の接続要素５２と相互作用する。
【００３０】
図６は、蓋６が開いている、この発明に従った容器１を斜視図で示す。吸い口モジュール２４は、図５に示すのと同様に、依然として第１の動作モードにある。したがって、図８と図５との唯一の違いは、蓋フラップ６が折返されているため、この部分図ではもはや見えないということである。
【００３１】
図９は、図５および図８に示すようなこの発明に従った容器の一部を示しているが、流体ライン３４または打抜きエッジ３６が第２の動作モードにある点が異なる。言い換えれば、吸い口２６は流体ライン３４および打抜きエッジ３６とともに下に押され、それにより領域３８を切離している。図示された実施例では、この第２の動作モードにおける吸い口２６または吸い口の前方エッジ５４は、フレーム４８の区分５６上に位置している。このように、本体２からの流体が流体ライン３４を介してのみ取出可能であるということも確実になる。第１の動作モードから第２の動作モードへの移行の際、第１の接続片４２はジョイント４４を介して流体密封閉鎖要素３０の方向にまたは第２の接続片４６の方向に誘導され、図示された例では後者の上に一部が位置する。このため、第２の動作モードにおける吸い口２６の位置も、誘導部４０を介して、およびフレームの支持エッジ５６とのエッジ５４の相互作用を介して決定され得る。流体ラインを本体へと押し過ぎることは起こらない。誘導部４０は、例えば、対応する停止装置によって、図５に示すような第１の動作モードに保持可能であり、それらについては以下により詳細に説明する。これに代えて、またはこれに加えて、ジョイント４４の設計のみによって、打抜きエッジ３６を領域３８から離れたままにすることが可能である。これは例えばインテグラルヒンジを用いることによって達成される。ここで、インテグラルヒンジのばね弾性は、第１の接続片または前記接続片４２の下方アームを、第２の接続片４６から離れたままにするのに十分である。
【００３２】
図１１は、図９および図１０に従った実施例、すなわち、蓋フラップ６が再度閉じられている第２の動作モードの容器を示す。
【００３３】
図１３および図１４は、この発明に従った容器１の吸い口モジュール２４を示す。吸い口モジュール２４は、図示された実施例では、吸い口２６と、流体ライン３４と、打抜きエッジ３６と、フレーム４８と、誘導部４０とを有する。この例では、誘導部４０は、第１の接続片４２と、ジョイント４４と、第２の接続片４６とを含む。特に、図１４は、吸い口を第２の動作モードに保持する第１の停止部５８および第２の停止部６０を示している。図示された実施例では、これらは、フレーム４８の対応するスリット６０にラッチ留めされるラッチ突起５８である。
【００３４】
図１５および図１６は、図１〜８に示す容器にあるような、第１の動作モードにおける吸い口モジュール２４を示す。このモードでは、第１の停止部５８および第２の停止部６０は、まだ互いを把持していない。第１の停止部５８と第２の停止部６０との間に把持を作り出すことによって、図１７および図１８に示すように、吸い口２６が第２の動作モードに保持される。
【００３５】
図１９は、蓋モジュール４を下から見た図である。これから、図示された実施例では、吸い口モジュール２４が、例えば接着または溶接を用いて、フレーム４８を介して蓋モジュール４の内側に接続されていることが明らかに見える。この構成により、本体に流体を充填する手順と第１の閉鎖部による汚染のない密封とを互いに分けること、および蓋モジュールをその後取付けることが、簡単な構造を介して可能になる。また、このアプローチでは、吸い口モジュール２４を第１の流体密封閉鎖部に別個のステップで取付けないことが意図されている。
【００３６】
最後に、図２０は、この発明に従った容器１のこの発明に従った本体２を示しており、それは、底１０と、側壁１２と、第１の流体密封閉鎖部の流体密封取付のための周方向支持面の形をした第１の接続要素３２と、ブリッジもしくは周方向エッジまたは突起の形をした第２の接続要素５２とを有する。第２の接続要素５２は、側壁１２から外側に延在しており、その上に蓋４のエッジ１４がクランプ可能である。
【００３７】
この説明、請求項、および図面に開示されたこの発明の特徴は、個々に、かつ、その異なる実施例でのこの発明の実現にとって必要な任意の組合せで、不可欠であり得る。
【図１】
0005847836.tif 000002
【図２】
0005847836.tif 000003
【図３】
0005847836.tif 000004
【図４】
0005847836.tif 000005
【図５】
0005847836.tif 000006
【図６】
0005847836.tif 000007
【図７】
0005847836.tif 000008
【図８】
0005847836.tif 000009
【図９】
0005847836.tif 000010
【図１０】
0005847836.tif 000011
【図１１】
0005847836.tif 000012
【図１２】
0005847836.tif 000013
【図１３】
0005847836.tif 000014
【図１４】
0005847836.tif 000015
【図１５】
0005847836.tif 000016
【図１６】
0005847836.tif 000017
【図１７】
0005847836.tif 000018
【図１８】
0005847836.tif 000019
【図１９】
0005847836.tif 000020
【図２０】
0005847836.tif 000021